【手続補正書】
【提出日】平成18年11月24日(2006.11.24)
【手続補正１】
【補正対象書類名】明細書
【補正対象項目名】全文
【補正方法】変更
【補正の内容】
【書類名】        明細書
【発明の名称】    たばこ加工産業における非円形の喫煙可能な棒状物品の端部のための封隙部
【特許請求の範囲】
【請求項１】  たばこ加工産業における非円形の喫煙可能な棒状物品の端部のための封隙部であって、この封隙部が少なくとも部分的にゴム弾性的な材料から成りかつ検査コンベヤに設けられている担持体上に取外し可能に載っており、またこの封隙部を経て検査気体、特に検査空気を物品の内部に導入可能である様式の、たばこ加工産業における非円形の棒状物品の端部のための封隙部において、
この封隙部（６）が担持体（１２）の領域内において形材（１７）を備えており、この形材により封隙部が検査コンベヤ（１）に対して、或いはこの検査コンベヤ上に存在している喫煙可能な棒状物品（３）に対して一定した位置において旋回することがないように担持体の所定の位置に確実に固定可能であるように構成されていることを特徴とする封隙部。
【請求項２】  この封隙部の、楕円形の断面を有している物品（３）を収容する収容部（７）が同様に楕円形であることを特徴とする請求項１に記載の封隙部。
【請求項３】  担持体（１２）が相応して形成されたパッキン（１７）のための位置決め形材（１６）を備えている領域（１５）を有していることを特徴とする請求項１或いは２に記載の封隙部。
【請求項４】  担持体（１２）の位置決め形材が平坦部（１６）として、かつこの封隙部（６）の位置決め形材が内方に指向されているウエッブとして形成されていることを特徴とする請求項３に記載の封隙部。
【請求項５】  位置決め形材（１６）を備えている担持体（１２）の領域（１５）の後方に、検査コンベヤ（１）の方向に比較的小さな直径を有するもう一つの締付け領域（１８）が設けられていることを特徴とする請求項３或いは４に記載の封隙部。
【発明の詳細な説明】
【０００１】
本発明は、たばこ加工産業における非円形の喫煙可能な棒状物品の端部のための封隙部であって、この封隙部が少なくとも部分的にゴム弾性的な材料から成りかつ検査コンベヤに設けられている担持体上に取外し可能に載っており、またこの封隙部を経て検査気体、特に検査空気を物品の内部に導入可能である様式の、たばこ加工産業における非円形の棒状物品の端部のための封隙部に関する。
【０００２】
“ゴム弾性的な材料”と言う概念は、ゴム（ラテックス）を意味するが、特に適当に弾性的で、かつ耐摩耗性の合成樹脂をも意味する。
【０００３】
“たばこ加工産業において喫煙可能な棒状物品”と言う概念は、フイルタを備えているか或いは備えていないシガレット、シガリロ或いはシガラのような、本質的にたばこ或いは他の喫煙可能な材料から成る棒状の喫煙物品並びに棒状のフイルタロッドを意味する。      【０００４】
シガレットを検査するためにこのシガレット内に検査空気を導入し、生じた空気圧値から被覆部の欠陥（孔、不正なベンチュレーション帯域）および／または充填度を演繹することは知られている。
【０００５】
この目的のため、検査空気は一般にシガレットの端部を周辺域から封隙する、ゴム弾性的な材料から成る少なくとも一つの封隙部を介して供給され、シガレット内部に導入される。シガレットの他方の端部には同様に端部封隙のための封隙部が設けられており、この封隙部は例えばシガレットの検査空気或いは検査空気の圧力を測定値形成部に案内する。      【０００６】
これらの封隙部は検査コンベヤに固定され、軸方向での摺動によりその検査位置に移動され、検査の終了後その出発位置に戻される。
【０００７】
シガレットの両端のための、ゴム弾性的な封隙部を備えている検査コンベヤ（検査ドラム）は米国特許第３，９４８，０８４号）に図示されてかつ詳細に説明されている。
【０００８】
非円形の喫煙可能な物品、特にいわゆる楕円形シガレット、の検査の際、これらの封隙部はシガレットに相応して非円形に成形されている。検査コンベヤ上の封隙部の位置は検査の際のシガレットの位置に相当する。このような封隙部をこれを保持する担持体上への組立の際、これらの封隙部が正確にシガレット方向に整向されるように注意を払なければならない。比較的多くの封隙部を備えている検査ドラムの最初の整向の際この条件が充足されなければならないことから、封隙部が時間が経つにつれた摩耗し、作業進捗に応じて交換しなければならないような作業状況にあって、特に未熟な作業員によって封隙部の交換を行われなければならないような場合、色々な困難が生じる。
【０００９】
本発明の根底をなす課題は、非円形の喫煙可能な棒状物品のための非円形な封隙部の組立を容易にし、誤った組立を排除することである。
【００１０】
この課題は、本発明により、この封隙部が担持体の領域内において形材を備えており、この形材により封隙部が検査コンベヤに対して、或いはこの検査コンベヤ上に存在している喫煙可能な棒状物品に対して一定した位置において旋回することがないように担持体の所定の位置に確実に固定可能であるように構成されていることによって解決される。
【００１１】
本発明は、特に封隙部の楕円形に形成されている収容部内に収容される同様に楕円形の断面を有している物品のための封隙部である場合有利である。
【００１２】
本発明による優れた構成により、担持体は適当に形成された封隙部のための位置決め形材を備えている領域を有している。
【００１３】
本発明による他の有利な構成により、この領域の後方には、検査コンベヤの方向に比較的小さな直径を有するもう一つの締付け領域が設けられている。
【００１４】
本発明により担持体の位置決め形材は、簡単な方法で、平坦部として形成されており、かつこの封隙部の位置決め形材がその中に収容されるウエッブとして形成されており、このウエッブは封隙部の内側から内方へと延在している。
【００１５】
封隙部のその担持体上での位置決めは図示した発明の実施の態様に限定されない。即ち、例えば担持体はウエッブを、そして封隙部は平坦部を備えていてもよい。
【００１６】
更に、機械製造において公知の他の位置決め装置を、これらの装置がゴム弾性的な材料に適している限り、適用することが可能である。即ち、簡単な方法では、担持体を一箇所で平坦に形成し、他方封隙部の内側は相応して形成される隆起部を有していてもよい。
【００１７】
本発明による封隙部の利点は、担持体上への組立が容易となり、従って迅速に実施することが可能であること、および誤った状態での組立が実際に避けられることである。こう言ったことから、楕円形のシガレットを、例えばそれらの大きな軸が封隙部の小さな軸の領域に当接し、これにより封隙部および／またはシガレット端部が損傷することが回避される。
【００１８】
以下に本発明を図面に示した発明の実施の態様について詳細に説明する。
【００１９】
図１は、収容部２を備えている検査ドラム１を示している。この収容部内において楕円形のシガレット３が順次検査領域４に供給される。図面にはただ一本のシガレット３のみが概略図示されている。検査領域の始端領域に、封隙部６が同様に楕円形の収容部７で軸方向にシガレット３の端部８方向に移動される。図１には検査ドラムの端部９における封隙部６のみを示した。検査ドラム１の他の省略された端部１０には、同様な様式で楕円形の収容部を備えている封隙部が設けられており、これらの収容部はシガレット３の他方の端部５を収容する。
【００２０】
これらの封隙部は開口１１を備えており、これらの開口部を経て封隙部（図３）の検査位置で加圧下に検査空気がシガレット端部８内に、即ち電気的な或いは空気圧による検査装置、に導入され、かつここから導出される。検査は、シガレット３が検査領域４を走過している間に行われる。この検査領域４の端部において、封隙部６はシガレット３から軸方向で離間するように運動させられ、従ってシガレットはこの封隙部から開放され、それらの収容部２で排送される。
【００２１】
図２は、楕円形の収容部８を封隙部６の同様に楕円形の収容部７から僅かに間隔をおいて示している。封隙部６の収容部７には検査空気のための開口１１が認められる。封隙部６は、特にそのジャケット部１４の領域内においても楕円形に形成されている。この封隙部は検査ドラム１に設けられている担持体１２上に載置されており、この担持体は検査空気の供給および排出のための孔１３を備えている。検査空気は検査ドラム１から与えられ、かつ検査ドラム１へと流れる。検査空気を制御するには、検査ドラム１内の図示していない公知の制御スリットが働く。大体円筒状に形成されておりかつ異なった直径を有している担持体１２は、第一の領域１５、即ち位置決め領域、において平坦部１６を備えており、この平坦部内に封隙部６の内方に整向されているウエッブ１７が係合している。これに伴い、封隙部とドラム間の形状一体的な結合が形成され、この結合により封隙部は検査ドラムに対して或いはその上を移送されるシガレットに対して常時正しい位置に存在している。検査ドラム１の方向での位置決め領域１５に隣接して、第二の領域１８が存在しており、この領域内においては担持体１２は位置決め領域１５内におけるよりも小さな直径を有している。即ち、封隙部６のゴム弾性的な材料から成るジャケット部１４は容易に位置決め領域１５を越えて締付け領域１８内に引入れられ、ここでジャケット部はその弾性によりスナップ様式で止められ、こうして固持される。
【００２２】
シガレット３の封隙位置（検査位置）における図３に示した位置にあって、封隙部６の封隙舌片１９は、シガレットの端部８から収容部７の底面２１方向に及ぼされる圧力により、シガレット３の端部８を封隙した状態で囲繞し、従ってシガレット３の内部は実際に完全に周辺空気から遮断される。
【図面の簡単な説明】
【図１】
楕円形のシガレットのための封隙部を備えている、検査ドラムの図である。
【図２】
シガレットと検査接触していない封隙部のための、検査ドラムと結合されている担持体の拡大図である。
【図３】
シガレットと検査接触している封隙部のための担持体の図である。
【符号の説明】
１  検査コンベヤ
２  収容部
３  喫煙可能な物品
４  検査領域
５  
６  封隙部
７  収容部
８  シガレット端部
１１  開口部
１２  担持体
１３  孔
１４  ジャケット部
１５  領域（位置決め）
１６  平坦部
１８  領域（締付け）
１９  封隙舌部
２１  収容部の底面